(57)【要約】      （修正有）【課題】折り畳み式ソーラーバッテリーパックを提供する。【解決手段】展開して矩形を呈して、第１フレキシブル保護膜層によりパッケージされてなる折り畳みパック本体１と、展開した折り畳みパック本体の内側面の長手方向に配置された少なくとも１つの薄膜太陽電池を備え、隣接する２つの薄膜太陽電池の間に隙間があり折り目線を構成する薄膜太陽電池モジュール２と、電力出力装置４と、導線５と、を備え、薄膜太陽電池モジュールに第２フレキシブル保護膜層がパッケージされ、第２フレキシブル保護膜層は上から順に上面層、接着層を備え、展開した折り畳みパック本体の内側面の薄膜太陽電池モジュールの占有面積以外の残り面積に第３フレキシブル保護膜層がパッケージされ、第３フレキシブル保護膜層は上から順に上面層、接着層、下面層を備え、第１フレキシブル保護膜層は上から順に接着層、下面層を備える。【選択図】図１
0003220625.tif 000002
【実用新案登録請求の範囲】
【請求項１】
展開して矩形を呈して、第１フレキシブル保護膜層（３１）によりパッケージされてなる折り畳みパック本体（１）と、
展開した折り畳みパック本体の内側面の長手方向に配置された少なくとも１つの薄膜太陽電池を備え、隣接する２つの前記薄膜太陽電池の間に隙間があり折り目線を構成する薄膜太陽電池モジュールと、
薄膜太陽電池モジュールにより変換された電力を出力する電力出力装置（４）と、
薄膜太陽電池間の接続及び薄膜太陽電池モジュールと前記電力出力装置（４）との接続に用いられる導線（５）と、を備え、
前記薄膜太陽電池モジュールに第２フレキシブル保護膜層（３２）がパッケージされ、前記第２フレキシブル保護膜層は上から順に上面層（３２１）、接着層（３２２）を備え、展開した折り畳みパック本体の内側面の、薄膜太陽電池モジュールの占有面積以外の残り面積に第３フレキシブル保護膜層がパッケージされ、前記第３フレキシブル保護膜層は上から順に上面層、接着層、下面層を備える折り畳み式ソーラーバッテリーパック。
【請求項２】
前記第１フレキシブル保護膜層（３１）は上から順に接着層（３１１）、下面層（３１２）を備える請求項１に記載の折り畳み式ソーラーバッテリーパック。
【請求項３】
前記上面層はＥＴＦＥ層であり、前記下面層は防水布であり、前記接着層はＥＶＡ層である請求項２に記載の折り畳み式ソーラーバッテリーパック。
【請求項４】
前記上面層の厚さ範囲は０．０１−０．２ｍｍである請求項１−３のいずれか一項に記載のソーラーチャージャー。
【請求項５】
前記接着層の厚さ範囲は０．２−０．３ｍｍである請求項１−３のいずれか一項に記載のソーラーチャージャー。
【請求項６】
前記下面層の厚さ範囲は０．１−０．２ｍｍである請求項１−３のいずれか一項に記載のソーラーチャージャー。
【請求項７】
前記電力出力装置（４）は接続ボックスを備え、前記接続ボックス内に集積回路基板が設けられ、薄膜太陽電池モジュールにより変換された電力を制御し、負荷の使用要求を満たす電圧を出力するように設定され、前記接続ボックスに、負荷に接続される少なくとも１つのＵＳＢインタフェースが設けられる請求項１に記載の折り畳み式ソーラーバッテリーパック。
【請求項８】
前記集積回路基板に、光強度を表示する少なくとも１つの表示ランプが設けられる請求項７に記載の折り畳み式ソーラーバッテリーパック。
【請求項９】
前記導線（５）は前記第１フレキシブル保護膜層（３１）と第３フレキシブル保護膜層との間に位置し、前記第１フレキシブル保護膜層の接着層（３１１）と下面層（３１２）を貫通して前記電力出力装置（４）に接続される請求項２に記載の折り畳み式ソーラーバッテリーパック。
【請求項１０】
前記薄膜太陽電池モジュールは、展開した折り畳みパック本体の内側面の長手方向に等間隔に水平に配置された３つの薄膜太陽電池を備え、前記３つの薄膜太陽電池の間に第１折り目線（１２）と第２折り目線（１３）が構成される請求項１に記載の折り畳み式ソーラーバッテリーパック。
【請求項１１】
前記折り畳みパック本体（１）に設けられ、前記折り畳み式ソーラーバッテリーパックを折り畳んで固定するための少なくとも１つのスナップフィット構造（１４）をさらに備える請求項１に記載の折り畳み式ソーラーバッテリーパック。
【請求項１２】
前記折り畳みパック本体に設けられる掛けて接続する用の少なくとも１つの貫通孔（１１）をさらに備える請求項１に記載の折り畳み式ソーラーバッテリーパック。
【請求項１３】
展開後の折り畳みパック本体の裏面に設けられた少なくとも１つの収納ポケットをさらに備える請求項１−３のいずれか一項に記載の折り畳み式ソーラーバッテリーパック。
【請求項１４】
前記少なくとも１つの収納ポケットは、着脱可能接続構造によって展開後の折り畳みパック本体の裏面に接続される請求項１３に記載の折り畳み式ソーラーバッテリーパック。
【請求項１５】
第１フレキシブル保護膜層（３１）からなる折り畳みパック本体（１）と、
折り畳みパック本体の内部に隙間があり折り目線を構成する展開した前記折り畳みパック本体の内側面の長手方向に設けられる１つ又は複数の薄膜太陽電池モジュール（２）と、
薄膜太陽電池モジュールにより変換された電力を出力する電力出力装置（４）と、
前記１つ又は複数の薄膜太陽電池モジュールと前記電力出力装置とを接続する導線（５）と、
少なくとも前記薄膜太陽電池モジュールの上面を被覆し、前記第１フレキシブル保護膜層に固定される透明フレキシブル保護膜層（３２）と、を備える折り畳み式ソーラーバッテリーパック。
【請求項１６】
前記薄膜太陽電池モジュールの上面を露出させるように中部にウィンドウが設けられるウィンドウ付きフレキシブル保護膜層（３）をさらに備え、
前記ウィンドウ付きフレキシブル保護膜層の非ウィンドウ部分は前記第１フレキシブル保護膜層に固定され、前記透明フレキシブル保護膜層は前記薄膜太陽電池モジュールの上面を被覆し、前記ウィンドウ付きフレキシブル保護膜層に固定され、又は、
前記ウィンドウ付きフレキシブル保護膜層は、前記透明フレキシブル保護膜層の前記薄膜太陽電池モジュールの上面の大きさを超える部分を、前記ウィンドウ付きフレキシブル保護膜層と前記第１フレキシブル保護膜層との間に固定する請求項１５に記載の折り畳み式ソーラーバッテリーパック。
【請求項１７】
前記第１フレキシブル保護膜層は上から順に接着層（３１１）、下面層（３１２）を備え、前記透明フレキシブル保護膜層は上から順に上面層（３２１）、接着層（３２２）を備え、前記透明フレキシブル保護膜層は、前記接着層（３２２）又は前記接着層（３１１）によって、前記第１フレキシブル保護膜層の下面層（３１２）に固定される請求項１５に記載の折り畳み式ソーラーバッテリーパック。
【請求項１８】
前記第１フレキシブル保護膜層（３１）は上から順に接着層（３１１）、下面層（３１２）を備え、前記透明フレキシブル保護膜層（３２）は上から順に上面層（３２１）、接着層（３２２）を備え、
前記ウィンドウ付きフレキシブル保護膜層は、前記第１フレキシブル保護膜層の接着層（３１１）によって、前記第１フレキシブル保護膜層（３１）の下面層（３１２）に固定され、前記透明フレキシブル保護膜層（３２）は、前記接着層（３２２）によって、前記薄膜太陽電池モジュールと前記ウィンドウ付きフレキシブル保護膜層に固定され、
又は、前記透明フレキシブル保護膜層（３２）は、前記接着層（３２２）によって前記薄膜太陽電池モジュールと第１フレキシブル保護膜層の下面層（３１２）に固定され、前記透明フレキシブル保護膜層（３２）の前記薄膜太陽電池モジュールの上面の大きさを超える部分は、前記ウィンドウ付きフレキシブル保護膜層と前記第１フレキシブル保護膜層との間に固定される請求項１６に記載の折り畳み式ソーラーバッテリーパック。
【請求項１９】
前記透明フレキシブル保護膜層の上面層はＥＴＦＥ層又はＥＣＴＦＥであり、前記第１フレキシブル保護膜層の下面層とウィンドウ付きフレキシブル保護膜層は防水布であり、前記第１フレキシブル保護膜層の接着層と前記透明フレキシブル保護膜層の接着層はＥＶＡ層であり、前記第２フレキシブル保護膜層の上面層は多点凹面層である請求項１７又は１８に記載の折り畳み式ソーラーバッテリーパック。
【請求項２０】
前記透明フレキシブル保護膜層の上面層の厚さ範囲は０．０１−０．２ｍｍであり、前記透明フレキシブル保護膜層の接着層の厚さ範囲は０．２−０．３ｍｍであり、前記第１フレキシブル保護膜層の接着層の厚さ範囲は０．２−０．３ｍｍであり、前記第１フレキシブル保護膜層の下面層の厚さ範囲は０．１−０．２ｍｍであり、前記ウィンドウ付きフレキシブル保護膜層の厚さ範囲は０．１−０．２ｍｍである請求項１７又は１８に記載の折り畳み式ソーラーバッテリーパック。
【考案の詳細な説明】
【技術分野】
【０００１】
本願は半導体技術分野に関するが、それに限定されず、特に折り畳み式ソーラーバッテリーパックに関する。
【背景技術】
【０００２】
従来、市販のソーラーチャージャーは、一般に太陽光発電モジュール、電圧出力ユニットを備え、太陽光発電モジュールによって太陽光を電力に変換し、さらに電流変換装置によって安定した直流又は交流を形成して出力し、様々な負荷に電力を供給する。たとえば、中国特許文献ＣＮ１０３９９７０９０Ａは折り畳み式ソーラーモバイルパワーを開示しており、ソーラーパネル、回転軸、ケース、蓄電池、ソーラー充電コントローラ及び交流ＡＣ電源ジャックを備え、ソーラーパネルは回転軸によってケースに可動に接続され、ソーラー充電コントローラ、蓄電池と順に電気的に接続され、蓄電池とソーラー充電コントローラはケース内に取り付けられ、ＡＣ電源ジャックはケースの側壁に位置する。ソーラーパネルは回転軸によって回転可能であり、太陽光を利用して充電する必要がある時、ソーラーパネルをケースの外側に回転させ、充電が終了して正常使用する時、ソーラーパネルをケース内部のスロットに回転させることで、ソーラーパネルの損傷を効果的に回避できる。
【０００３】
しかしながら、ソーラーモバイルパワーはソーラーパネル、回転軸、ケース、蓄電池、ソーラー充電コントローラ及びＡＣ電源ジャックを備えるため、構造が複雑で、製造コストが高く、体積が大きく、また、ソーラーパネルによる太陽光から電力への変換効率が低く、さらにソーラーパネルはほとんど非可撓性で又は可撓性が低く、折り畳み不能であったり、折り畳まれると太陽電池を損傷しやすかったりし、且つ重量が大きいという問題を抱えているため、ソーラーモバイルパワーの持ち運びは困難である。
【考案の概要】
【考案が解決しようとする課題】
【０００４】
従って、ソーラーチャージャーでは構造が複雑で、体積が大きく、折り畳み不能であったり折り畳まれると太陽電池を損傷しやすかったりすることによって、持ち運びに不便であり、且つ太陽光から電力への変換効率が低いという問題に対して、本願は構成が簡単で、体積が小さく、折り畳み可能で、太陽光から電力への変換効率が高い折り畳み式ソーラーバッテリーパックを提供する。
【課題を解決するための手段】
【０００５】
本願の実施例は折り畳み式ソーラーバッテリーパックを提供し、
展開して矩形を呈して、第１フレキシブル保護膜層によりパッケージされてなる折り畳みパック本体と、
展開した折り畳みパック本体の内側面の長手方向に配置された少なくとも１つの薄膜太陽電池を備え、隣接する２つの前記薄膜太陽電池の間に隙間があり折り目線を構成する薄膜太陽電池モジュールと、
薄膜太陽電池モジュールにより変換された電力を出力する電力出力装置と、
薄膜太陽電池間の接続及び薄膜太陽電池モジュールと前記電力出力装置との接続に用いられる導線と、を備え、
前記薄膜太陽電池モジュールに第２フレキシブル保護膜層がパッケージされ、前記第２フレキシブル保護膜層は上から順に上面層、接着層を備え、展開した折り畳みパック本体の内側面の、薄膜太陽電池モジュールの占有面積以外の残り面積に第３フレキシブル保護膜層がパッケージされ、前記第３フレキシブル保護膜層は上から順に上面層、接着層、下面層を備える。
【０００６】
選択的に、前記第１フレキシブル保護膜層は上から順に接着層、下面層を備える。
【０００７】
選択的に、前記上面層はＥＴＦＥ層であり、前記下面層は防水布であり、前記接着層はＥＶＡ層である。
【０００８】
選択的に、前記上面層の厚さ範囲は０．０１−０．２ｍｍである。
【０００９】
選択的に、前記接着層の厚さ範囲は０．２−０．３ｍｍである。
【００１０】
選択的に、前記下面層の厚さ範囲は０．１−０．２ｍｍである。
【００１１】
選択的に、前記電力出力装置は接続ボックスを備え、前記接続ボックス内に集積回路基板が設けられ、薄膜太陽電池モジュールにより変換された電力を制御し、負荷の使用要求を満たす電圧を出力するように設定され、前記接続ボックスに、負荷に接続される少なくとも１つのＵＳＢインタフェースが設けられる。
【００１２】
選択的に、前記集積回路基板に、光強度を表示する少なくとも１つの表示ランプが設けられる。
【００１３】
選択的に、前記導線は前記第１フレキシブル保護膜層と第３フレキシブル保護膜層との間に位置し、前記第１フレキシブル保護膜層の接着層と下面層を貫通して前記電力出力装置に接続される。
【００１４】
選択的に、前記薄膜太陽電池モジュールは、展開した折り畳みパック本体の内側面の長手方向に等間隔に水平に配置された３つの薄膜太陽電池を備え、前記３つの薄膜太陽電池の間に第１折り目線と第２折り目線が構成される。
【００１５】
選択的に、前記折り畳み式ソーラーバッテリーパックは、前記折り畳みパック本体に設けられ、前記折り畳みパックを折り畳んだ後に固定するための少なくとも１つのスナップフィット構造をさらに備える。
【００１６】
選択的に、前記折り畳み式ソーラーバッテリーパックは、前記折り畳みパック本体に設けられる掛けて接続する用の少なくとも１つの貫通孔をさらに備える。
【００１７】
選択的に、前記折り畳み式ソーラーバッテリーパックは、展開後の折り畳みパック本体の裏面に設けられる少なくとも１つの収納ポケットをさらに備える。
【００１８】
選択的に、前記少なくとも１つの収納ポケットは、着脱可能接続構造によって展開後の折り畳みパック本体の裏面に接続される。
【００１９】
本願は折り畳み式ソーラーバッテリーパックをさらに提供し、
第１フレキシブル保護膜層からなる折り畳みパック本体と、
折り畳みパック本体の内部に隙間があり折り目線を構成する展開した前記折り畳みパック本体の内側面の長手方向に設けられる１つ又は複数の薄膜太陽電池モジュールと、
薄膜太陽電池モジュールにより変換された電力を出力する電力出力装置と、
前記１つ又は複数の薄膜太陽電池モジュールと前記電力出力装置とを接続する導線と、
少なくとも前記薄膜太陽電池モジュールの上面を被覆し、前記第１フレキシブル保護膜層に固定される透明フレキシブル保護膜層と、を備える。
【００２０】
選択的に、前記折り畳み式ソーラーバッテリーパックは、
前記薄膜太陽電池モジュールの上面を露出させるように中部にウィンドウが設けられるウィンドウ付きフレキシブル保護膜層をさらに備え、
前記ウィンドウ付きフレキシブル保護膜層の非ウィンドウ部分は、前記第１フレキシブル保護膜層に固定され、前記透明フレキシブル保護膜層は、前記薄膜太陽電池モジュールの上面を被覆し、前記ウィンドウ付きフレキシブル保護膜層に固定され、又は、
前記ウィンドウ付きフレキシブル保護膜層は、前記透明フレキシブル保護膜層の前記薄膜太陽電池モジュールの上面の大きさを超える部分を、前記ウィンドウ付きフレキシブル保護膜層と前記第１フレキシブル保護膜層との間に固定する。
【００２１】
選択的に、前記第１フレキシブル保護膜層は上から順に接着層、下面層を備え、前記透明フレキシブル保護膜層は上から順に上面層、接着層を備え、前記透明フレキシブル保護膜層は、前記接着層又は前記第１フレキシブル保護膜層の接着層によって、前記第１フレキシブル保護膜層の下面層に固定される。
【００２２】
選択的に、前記第１フレキシブル保護膜層は上から順に接着層、下面層を備え、前記透明フレキシブル保護膜層は上から順に上面層、接着層を備え、
前記ウィンドウ付きフレキシブル保護膜層の非ウィンドウ部分は、前記第１フレキシブル保護膜層の接着層によって、前記第１フレキシブル保護膜層の下面層に固定され、前記透明フレキシブル保護膜層は、その接着層によって前記薄膜太陽電池モジュールと前記ウィンドウ付きフレキシブル保護膜層に固定され、
又は、前記透明フレキシブル保護膜層は、その接着層によって前記薄膜太陽電池モジュールと第１フレキシブル保護膜層の下面層に固定され、前記透明フレキシブル保護膜層の前記薄膜太陽電池モジュールの上面の大きさを超える部分は、前記ウィンドウ付きフレキシブル保護膜層と前記第１フレキシブル保護膜層との間に固定される。
【００２３】
選択的に、前記透明フレキシブル保護膜層の上面層はＥＴＦＥ層又はＥＣＴＦＥであり、前記第１フレキシブル保護膜層の下面層とウィンドウ付きフレキシブル保護膜層は防水布であり、前記第１フレキシブル保護膜層の接着層と前記透明フレキシブル保護膜層の接着層はＥＶＡ層であり、前記第２フレキシブル保護膜層の上面層は多点凹面層である。
【００２４】
選択的に、前記透明フレキシブル保護膜層の上面層の厚さ範囲は０．０１−０．２ｍｍであり、前記透明フレキシブル保護膜層の接着層の厚さ範囲は０．２−０．３ｍｍであり、前記第１フレキシブル保護膜層の接着層の厚さ範囲は０．２−０．３ｍｍであり、前記第１フレキシブル保護膜層の下面層の厚さ範囲は０．１−０．２ｍｍであり、前記ウィンドウ付きフレキシブル保護膜層の厚さ範囲は０．１−０．２ｍｍである。
【００２５】
選択的に、展開した前記折り畳みパック本体の内側面の長手方向に、導線によって接続された３つの薄膜太陽電池モジュールが水平に設けられ、前記３つの薄膜太陽電池モジュールの間に第１折り目線と第２折り目線が構成される。
【考案の効果】
【００２６】
本願の実施例に係る上記技術的解決手段は従来技術に比べて、以下の利点を有する。
【００２７】
１、本願の実施例に係る折り畳み式ソーラーバッテリーパックは、薄膜太陽電池モジュールを用いることで、太陽光から電力への変換効率を大幅に向上させるだけでなく、薄膜太陽電池が軽量であるため、ユーザーが持ち運びやすく、さらに、折り畳みパック本体は第１フレキシブル保護膜層によりパッケージされてなり、その第２フレキシブル保護膜層及び第３フレキシブル保護膜層もフレキシブルであり、折り畳みパック本体の内側面に固定して設けられた薄膜太陽電池パック自体もフレキシブルであることで、本願の携帯型折り畳み式ソーラーバッテリーパックは折り畳み可能であり、ユーザーは充電器を小体積で収納でき、ユーザーは非常に持ち運びやすくなり、また、第１フレキシブル保護膜層、第２フレキシブル保護膜層及び第３フレキシブル保護膜層が設けられることで、湿気、高温、外部物体等に起因する薄膜太陽電池モジュールの損傷を防止し、機械的・化学的損傷を回避し、本願の携帯型折り畳み式ソーラーバッテリーパックの動作信頼性と安定性を確保する。
【００２８】
２、本願の実施例に係る折り畳み式ソーラーバッテリーパックでは、集積回路基板に光強度を表示する少なくとも１つの表示ランプが設けられ、表示ランプは指示作用を果たし、ユーザーの使用を指導する。
【００２９】
３、本願の実施例に係る折り畳み式ソーラーバッテリーパックでは、折り畳みパック本体にリングが設けられることで、ユーザーの外出の際に、ソーラーチャージャーをリュック、カバンに容易に掛け、ユーザーが更に持ち運びやすくなる。
【００３０】
４、本願の実施例に係る折り畳み式ソーラーバッテリーパックでは、展開後の折り畳みパック本体の裏面に少なくとも１つの収納ポケットが設けられ、収納ポケットはモバイル装置、例えば携帯電話、タブレットＰＣ等を収納することができる。
【図面の簡単な説明】
【００３１】
本願をより明確かつ分かりやすくするために、以下、本願の具体的実施例及び図面を参照して、本願の実施例を更に詳細に説明する。
【００３２】
【図１】図１は本願の実施形態に係る携帯型折り畳み式ソーラーバッテリーパックの展開後の正面図である。
【図２】図２は本願の実施形態に係る携帯型折り畳み式ソーラーバッテリーパックの展開後の背面図（収納ポケット無し）である。
【図３】図３は本願の実施形態に係る携帯型折り畳み式ソーラーバッテリーパックの展開後の背面図（収納ポケット付き）である。
【図４】図４は薄膜太陽電池モジュールの縦断面図である。
【図５】図５は第１実施例に係る薄膜太陽電池モジュール部分を備える折り畳み式ソーラーバッテリーパックの縦断面図である。
【図６】図６は第２実施例に係る薄膜太陽電池モジュール部分を備える折り畳み式ソーラーバッテリーパックの縦断面図である。
【符号の説明】
【００３３】
１−折り畳みパック本体、１１−貫通孔、１２−第１折り目線、１３−第２折り目線、１４−スナップ、２−薄膜太陽電池モジュール、２０１−阻水膜、２０２−接着層、２０３−薄膜太陽電池チップ、２０４−接着層、２０５−阻水膜、３１−第１フレキシブル保護膜層、３１１−接着層、３１２−下面層、３２−前記第２フレキシブル保護膜層、３２１−上面層、３２２−接着層、３−ウィンドウ付きフレキシブル保護膜層、２０１ａ−接着層、２０３ａ−接着層、４−電力出力装置、４１−ＵＳＢインタフェース、５−導線、６−マジックテープ（登録商標）、７−収納ポケット。
【考案を実施するための形態】
【００３４】
以下、図面を参照して本願の実施形態を詳細に説明する。なお、後述する実施形態は本願の実施例を説明するものに過ぎず、本考案を限定するものではない。
【００３５】
図１は本実施形態の技術概要を示し、本実施形態は携帯型折り畳み式ソーラーバッテリーパックを提供し、前記携帯型折り畳み式ソーラーバッテリーパックは、折り畳みパック本体１と、太陽光を電力に変換する薄膜太陽電池モジュール２と、薄膜太陽電池モジュールにより変換された電力を出力する電力出力装置４と、薄膜太陽電池モジュールと前記電力出力装置とを接続する導線５と、を備える。
【００３６】
前記折り畳みパック本体１は展開して矩形又は長方形を呈するが、ほかの適切な形状としてもよく、折り畳み可能な第１フレキシブル保護膜層３１によりパッケージされてなり、前記薄膜太陽電池モジュール自体はフレキシブルであり、且つ薄膜太陽電池は太陽光から電力への変換効率が高く、軽量であり、本願の実施例では、前記薄膜太陽電池モジュールは、展開した折り畳みパック本体の内側面の長手方向に配置される少なくとも１つの薄膜太陽電池モジュールを備え、薄膜太陽電池は好適にはＣＩＧＳ薄膜太陽電池であり、隣接する２つの前記薄膜太陽電池の間に隙間があり折り目線を構成する。本実施形態では、前記薄膜太陽電池モジュールは、展開した折り畳みパック本体１の内側面の長手方向に等間隔に水平に配置された３つのＣＩＧＳ薄膜太陽電池モジュール２を備え、３つのＣＩＧＳ薄膜太陽電池モジュールは導線５によってカスケード接続され、前記３つのＣＩＧＳ薄膜太陽電池モジュール２の間に第１折り目線１２と第２折り目線１３が構成される。ユーザーがそのモバイル装置、たとえば携帯電話、タブレットＰＣ等を充電する必要がある時、折り畳み式ソーラーバッテリーパックを第１折り目線１２と第２折り目線１３に沿って展開して、展開後の折り畳みパック本体に配置された３つのＣＩＧＳ薄膜太陽電池モジュール２は太陽光を十分に受けて電力に変換でき、次に導線５と電力出力装置４によって電力をモバイル装置に出力し、ユーザーがそのモバイル装置を充電する必要がない時、第１折り目線１２と第２折り目線１３に沿ってバッテリパックを小体積に折り畳み、小体積に折り畳まれたパックが持ち運びやすい。なお、本願の実施例では、薄膜太陽電池の数について、特に制限されず、ユーザーは実際のニーズに応じてＣＩＧＳ薄膜太陽電池モジュールの数を適宜調整でき、たとえば４つ、５つ又は６つ等とし、分かりやすいのは、実際の必要に応じて、ＣＩＧＳ薄膜太陽電池モジュールの数は１つ又は２つであってもよい。複数のＣＩＧＳ薄膜太陽電池モジュールは必要に応じて導線によって直列接続又は並列接続できる。各ＣＩＧＳ薄膜太陽電池モジュールは１つ又は複数のＣＩＧＳ薄膜太陽電池を備える。前記ＣＩＧＳ薄膜太陽電池は上から順に阻水膜２０１、接着層２０２、ＣＩＧＳ薄膜太陽電池チップ２０３、接着層２０４、阻水膜２０５を備え、ＣＩＧＳ薄膜太陽電池チップ２０３は可撓性が高く、折り畳み、折り曲げが可能であり、折り畳み又は折り曲げても損傷することがない。
【００３７】
選択的に、図４に示すように、前記薄膜太陽電池モジュールに第２フレキシブル保護膜層３２がパッケージされ、前記第２フレキシブル保護膜層３２は上から順に上面層３２１、接着層３２２を備え、前記上面層３２１は透明、防水、防傷、耐摩擦性、耐候性が高い材料、たとえばＥＴＦＥ層であり、前記接着層３２２はホットメルト接着剤層、たとえばＥＶＡ層である。展開した折り畳みパック本体１の内側面の薄膜太陽電池モジュールの占有面積以外の残り面積に第３フレキシブル保護膜層がパッケージされ、前記第３フレキシブル保護膜層は上から順に上面層、接着層、防水布、阻水膜、接着層を備え、同様に、前記上面層は透明、防水、防傷、耐摩擦性、耐候性が高い材料、たとえばＥＴＦＥ層であり、前記接着層はホットメルト接着剤層、たとえばＥＶＡ層である。前記下面層は不透明なフレキシブル防水材料、たとえば防水布である。前記第３フレキシブル保護膜層の上面層は第２フレキシブル保護膜層の上面層に接着されてもよい。本願では、前記上面層の厚さ範囲は０．０１−０．２ｍｍであり、厚すぎると、パッケージプロセスが実現し難く、本実施形態では、選択的に、前記上面層の厚さは０．０５ｍｍであり、前記接着層の厚さ範囲は０．２−０．３ｍｍであり、薄すぎると接着性が低く、層間剥離が生じやすく、前記下面層の厚さ範囲は０．１−０．２ｍｍである。
【００３８】
第２フレキシブル保護膜層３２と第３フレキシブル保護膜層が設けられることで、湿気、高温、外部物体等に起因する薄膜太陽電池モジュールの損傷を防止し、機械的・化学的損傷を回避し、本実施形態の携帯型折り畳み式ソーラーバッテリーパックの動作信頼性と安定性を確保する。
【００３９】
選択的に、図４に示すように、本実施形態の前記第１フレキシブル保護膜層３１は上から順に接着層３１１、下面層３１２を備える。上記と同じ、前記接着層３１１はホットメルト接着剤層、たとえばＥＶＡ層であり、前記下面層３１２は不透明なフレキシブル防水材料、たとえば防水布である。
【００４０】
選択的に、前記電力出力装置４は接続ボックスであり、前記接続ボックス内に集積回路基板が設けられ、薄膜太陽電池モジュール２により変換された電力を制御し、負荷の使用要求を満たす電圧を出力することに用いられ、前記接続ボックスに、負荷に接続するための少なくとも１つのＵＳＢインタフェース４１が設けられる。前記負荷は携帯電話、タブレットＰＣ、ノートパソコン、スマートウォッチ、バッテリパック等のモバイル装置であってもよい。
【００４１】
使用の便宜上、本実施形態の前記集積回路基板に、光強度を表示する少なくとも１つの表示ランプがさらに設けられ、前記表示ランプは好適にはＬＥＤ表示ランプである。本実施形態では、前記ＬＥＤ表示ランプは、照明条件が悪い時、赤色を表示し、照明条件が良く、直接に負荷を充電できる時、緑色を表示し、ソーラーチャージャーがオフで又は負荷に供する電力がない時、点灯せず、出力無しを示す。なお、本願の実施例では表示ランプの表示モードは上記方式に限定されず、表示ランプの表示モードと表示効果はユーザーの実際ニーズに応じて調整できる。
【００４２】
本実施形態では、前記導線５は前記第３フレキシブル保護膜層と第１フレキシブル保護膜層３１との間に位置し、前記接着層３１１と第１フレキシブル保護膜層３１の下面層３１２を貫通して前記接続ボックス４に接続される。選択的に、前記導線５は好適には錫メッキ編組銅線である。
【００４３】
本願の別の実施形態として、図５又は６に示すように、前記充電器本体１は折り畳み、折り曲げ可能な第１フレキシブル保護膜層３１によりパッケージされてなり、前記第１フレキシブル保護膜層３１は上から順に接着層３１１、下面層３１２を備える。前記接着層３１１はホットメルト接着剤層、たとえばＥＶＡ層であり、前記下面層３１２は不透明なフレキシブル防水材料、たとえば防水布であってもよく、透明、防水、防傷、耐摩擦性、耐候性が高い材料、たとえばＥＴＦＥ層、又はＥＣＴＦＥ又は該特性要件を満たすほかの材料であってもよい。
【００４４】
前記薄膜太陽電池モジュール２は、１つ又は複数のＣＩＧＳ薄膜太陽電池からなり、複数のＣＩＧＳ薄膜太陽電池は導線によって接続され、複数のＣＩＧＳ薄膜太陽電池は必要に応じて直列接続及び／又は並列接続される。図５に示すように、前記ＣＩＧＳ薄膜太陽電池は上から順に阻水膜２０１、ＣＩＧＳ薄膜太陽電池チップ２０２、阻水膜２０３を備え、ＣＩＧＳ薄膜太陽電池チップ２０２は阻水膜２０１、２０３と一体構造としてパッケージされる。
【００４５】
さらに別の実施形態として、図６に示すように、前記ＣＩＧＳ薄膜太陽電池は上から順に阻水膜２０１、接着層２０１ａ、ＣＩＧＳ薄膜太陽電池チップ２０２、接着層２０３ａ、阻水膜２０３を備え、ＣＩＧＳ薄膜太陽電池チップ２０２は、阻水膜２０１、接着層２０１ａ、接着層２０３ａ、阻水膜２０３と一体構造としてパッケージされる。薄膜太陽電池の具体的な構造は、ＣＩＧＳ薄膜太陽電池チップに応じて決められる。
【００４６】
ＣＩＧＳ薄膜太陽電池自体はフレキシブルであり、太陽光から電力への変換効率が高く、軽量である。ＣＩＧＳ薄膜太陽電池チップ２０２は可撓性が高く、折り畳み、折り曲げが可能であり、折り畳み又は折り曲げても損傷することがなく、それぞれＣＩＧＳ薄膜太陽電池チップ２０２の上下に設けられた阻水膜２０１と２０３は防水、絶縁機能を有する。阻水膜はホットメルト接着剤からなり、粘性を有してもよい。本実施形態では、前記ＣＩＧＳ薄膜太陽電池の形状は矩形又は方形であってもよい。
【００４７】
本願の実施例では、展開した折り畳みパック本体の内側面の長手方向に１つ又は複数の薄膜太陽電池モジュールが水平に設けられ、前記第１フレキシブル保護膜３１の接着層３１１によって、展開した第１フレキシブル保護膜３１に固定される。隣接する２つの前記薄膜太陽電池モジュールの間に隙間があり折り目線を構成する。一好適実施形態として、展開した折り畳みパック本体１の内側面の長手方向に３つのＣＩＧＳ薄膜太陽電池モジュール２が等間隔に水平に配置され、３つのＣＩＧＳ薄膜太陽電池モジュールは導線５によって直列接続され、前記３つのＣＩＧＳ薄膜太陽電池モジュールの間に第１折り目線１２と第２折り目線１３が構成される。ユーザーがそのモバイル装置、たとえば携帯電話、タブレットＰＣ等を充電する必要がある時、折り畳み式ソーラーバッテリーパックを第１折り目線１２と第２折り目線１３に沿って展開し、展開後の折り畳みパック本体に配置された３つのＣＩＧＳ薄膜太陽電池モジュールは太陽光を十分に受けて電力に変換でき、次に導線５と電力出力装置４によって電力をモバイル装置に出力し、ユーザーがそのモバイル装置を充電する必要がない時、第１折り目線１２と第２折り目線１３に沿ってバッテリパックを小体積に折り畳み、小体積に折り畳まれたパックが持ち運びやすい。
【００４８】
なお、本願の実施例では、薄膜太陽電池又はモジュールの数について、特に制限されず、ユーザーは実際のニーズに応じてＣＩＧＳ薄膜太陽電池モジュールの数を適宜調整でき、たとえば１つ、２つ、４つ、５つ又は６つ等とし、各ＣＩＧＳ薄膜太陽電池モジュールは１つ又は複数のＣＩＧＳ薄膜太陽電池を直列接続又は並列接続してなる。たとえば、折り畳みパック本体の内側面の一部に１つ又は２つのＣＩＧＳ薄膜太陽電池モジュールが配置され、残りの部分に空白のままにし又は鏡等が設けられ、１本又は２本の折り目線を形成し、折り畳み後に空白部分又は鏡は該ＣＩＧＳ薄膜太陽電池モジュールを保護でき、複数のＣＩＧＳ薄膜太陽電池モジュールは必要に応じて導線５によって直列接続又は並列接続できる。
【００４９】
薄膜太陽電池モジュール２が前記第１フレキシブル保護膜層の展開後の内側面に固定された後、ウィンドウ付きフレキシブル保護膜層３を被覆し、前記ウィンドウ付きフレキシブル保護膜層３の薄膜太陽電池モジュール２の上面に対応した位置にウィンドウが設けられ、前記ウィンドウは理論的に、最もよいのは薄膜太陽電池モジュール２の面積と同じであり、それにより薄膜太陽電池モジュール２をよく露出させ、太陽がそれに照射して電力を発生する。該ウィンドウは薄膜太陽電池モジュール２の面積よりも大きいと、前記ウィンドウ付きフレキシブル保護膜層３と薄膜太陽電池モジュール２との間に隙間が生じ、美しさを損ない、ウィンドウは薄膜太陽電池モジュール２の面積よりも小さいと、前記ウィンドウ付きフレキシブル保護膜層３は薄膜太陽電池モジュールを遮蔽し、発電効率を損ない、発電量が低減してしまう。前記ウィンドウ付きフレキシブル保護膜層３は不透明であり、防水布を用いてもよいが、ＥＴＦＥ、ＥＣＴＦＥ又はほかの適切な材料を用いてもよい。
【００５０】
前記薄膜太陽電池モジュール２と前記ウィンドウ付きフレキシブル保護膜層３の上に、第２フレキシブル保護膜層３２がさらに設けられ、該第２フレキシブル保護膜層は透明フレキシブル保護膜層であり、上から順に上面層３２１、接着層３２２を備え、前記上面層３２１は好適には透明、防水、防傷、耐摩擦性、耐候性が高い材料、たとえばＥＴＦＥ層であり、ＥＣＴＦＥ又は透明、防水、防傷、耐摩擦性、耐候性が高いほかの材料を用いてもよく、前記接着層３２２は好適にはホットメルト接着剤層、たとえばＥＶＡ層である。前記第２フレキシブル保護層は多点凹面構造とすることで、太陽光の反射を減少させ、太陽光から電力への変換効率を向上させる。
【００５１】
選択的に、前記第２フレキシブル保護膜層３２の面積は少なくとも各前記薄膜太陽電池モジュール２の表面積よりも大きいことで、前記ウィンドウ付きフレキシブル保護膜層３に十分に接着し、前記薄膜太陽電池モジュール及びその電気接続部材、たとえば接続ボックス、導線等に対して防水、防傷、耐摩擦等の効果を図る。第２フレキシブル保護膜層３２の面積は第１フレキシブル保護層の表面積と同じであってもよい。選択的に、前記第２フレキシブル保護膜層は延伸して前記折り畳みパック本体の四周を包んでパッケージすることで、折り畳み式ソーラーバッテリーパックの密封性を向上させる。
【００５２】
一代替可能の実施形態として、前記ウィンドウ付きフレキシブル保護膜層３を用いず、前記薄膜太陽電池モジュール２に直接前記第２フレキシブル保護膜層３２が被覆され、前記第２フレキシブル保護膜層３２が前記接着層３２２によって直接前記第１フレキシブル保護層３１の下面層３１２に固定され、又は、前記第２フレキシブル保護膜層３２が前記接着層３２２によって前記第１フレキシブル保護膜層３１の下面層３１２に固定された後、前記第２フレキシブル保護膜層３２の上に前記ウィンドウ付きフレキシブル保護膜層が被覆され、後者の場合、前記第２フレキシブル保護膜層の面積は各前記薄膜太陽電池モジュール２の表面積よりもやや大きければよく、前記第２フレキシブル保護膜層３２の前記薄膜太陽電池モジュール２の表面積を超える部分は、前記ウィンドウ付きフレキシブル保護膜層３と前記第１フレキシブル保護膜層３１との間に接着して固定される。
【００５３】
分かりやすいのは、前記第２フレキシブル保護膜層３２が前記接着層３２２によって前記太陽電池モジュール２と前記第１フレキシブル保護膜層３１の下表面３１２に固定される時、前記第２フレキシブル保護膜層３２と前記第１フレキシブル保護膜層３１との接着部分は、接着層が厚すぎることを回避するように、接着層３２２と接着層３１１のうちの一方を用いてもよい。
【００５４】
選択的に、前記上面層３２１の厚さ範囲は０．０１−０．２ｍｍであり、厚すぎると、パッケージプロセスが実現し難く、本実施形態では、前記上面層の厚さは０．０５ｍｍであり、前記接着層の厚さ範囲は０．２−０．３ｍｍであり、薄すぎると接着性が低く、層間剥離が生じやすく、前記下面層の厚さ範囲は０．１−０．２ｍｍであり、前記ウィンドウ付きフレキシブル保護膜層の厚さは０．１−０．２ｍｍである。
【００５５】
導線５は前記１つ又は複数の薄膜太陽電池モジュールと電力出力装置とを接続し、折り畳み式ソーラーバッテリーパックがウィンドウ付きフレキシブル保護膜層３を用いる場合、導線５は前記ウィンドウ付きフレキシブル保護膜層３と第１フレキシブル保護膜層３１との間に位置し、前記接着層３１１と下面層３１２を貫通して前記接続ボックスに接続され、
折り畳み式ソーラーバッテリーパックがウィンドウ付きフレキシブル保護膜層を用いない場合、導線５は前記第２フレキシブル保護膜層３２と第１フレキシブル保護膜層３１との間に位置し、前記接着層３１１と下面層３１２を貫通して前記接続ボックスに接続される。
【００５６】
選択的に、前記導線５は好適には錫メッキ編組銅線である。
【００５７】
前記電力出力装置４及びＬＥＤの設置について、上記実施形態を参照すればよい。
【００５８】
また、本実施形態に係る携帯型折り畳み式ソーラーバッテリーパックは、前記折り畳みパック本体に設けられ、前記折り畳みパックを折り畳んだ後に固定するための少なくとも１つのスナップフィット構造をさらに備え、前記スナップフィット構造は好適にはスナップ１４であるが、スナップ１４に限定されず、面ファスナー構造、たとえばナイロン面ファスナー、又は磁気ボタンであってもよい。スナップフィット構造が設けられることで、折り畳みパックを折り畳み後に展開することなく、ユーザーが持ち運びやすい。
【００５９】
前記折り畳みパック本体１に掛けて接続する用の少なくとも１つの貫通孔１１が設けられ、前記貫通孔１１は折り畳みパック本体１の隅部に設けられることに適して、これにより、貫通孔１１によって、ユーザーは本実施形態に係る携帯型折り畳み式ソーラーバッテリーパックをユーザーが持ち歩くバッグ、たとえばリュック、カバン等に便利に掛けることができる。
【００６０】
また、モバイル装置を持ち運びやすくするために、図３に示すように、本願の実施例に係る携帯型折り畳み式ソーラーバッテリーパックは展開後の折り畳みパック本体１の裏面に、携帯電話、タブレットＰＣ等のモバイル装置を収納するための少なくとも１つの収納ポケット７が設けられ、本実施形態では、前記収納ポケットは１つ設けられ、携帯電話を収納することに適するサイズとする。
【００６１】
選択的に、図２に示すように、前記収納ポケットは着脱可能接続構造によって、展開後の折り畳みパック本体１の裏面に接続される。このようにして、折り畳み式ソーラーバッテリーパックの折り畳み状態でも、携帯電話の入れと取り出しに支障をもたらすことがない。本実施形態では、前記着脱可能接続構造はマジックテープ６であるが、マジックテープ６に限定されない。
【００６２】
明らかなように、上記実施例は本考案を明確に説明するためのものであり、実施形態を限定するものではない。当業者であれば、上記説明に基づきほかの様々な変形や変更を行うことができる。ここで、すべての実施形態を網羅する必要がなく、且つ網羅できない。それに基づき想到し得る明らかな変形や変更は本考案の保護範囲に属する。
【産業上の利用可能性】
【００６３】
本願の実施例に係る折り畳み式ソーラーバッテリーパックは、薄膜太陽電池モジュールを用いることで、太陽光から電力への変換効率を向上させ、折り畳みパック本体が第１フレキシブル保護膜層によりパッケージされてなり、その第２フレキシブル保護膜層及び第３フレキシブル保護膜層又はウィンドウ付きフレキシブル保護膜層もフレキシブルであり、折り畳みパック本体の内側面に固定して設けられた薄膜太陽電池パック自体もフレキシブルであることで、前記携帯型折り畳み式ソーラーバッテリーパックが折り畳み可能であり、ユーザーが持ち運びやすく、湿気、高温、外部物体等に起因する薄膜太陽電池モジュールの損傷を防止し、機械的・化学的損傷を回避し、本願の携帯型折り畳み式ソーラーバッテリーパックの動作信頼性と安定性を確保する。
【図１】
0003220625.tif 000003
【図２】
0003220625.tif 000004
【図３】
0003220625.tif 000005
【図４】
0003220625.tif 000006
【図５】
0003220625.tif 000007
【図６】
0003220625.tif 000008
【手続補正書】
【提出日】平成30年7月13日(2018.7.13)
【手続補正１】
【補正対象書類名】実用新案登録請求の範囲
【補正対象項目名】全文
【補正方法】変更
【補正の内容】
【実用新案登録請求の範囲】
【請求項１】
展開して矩形を呈して、第１フレキシブル保護膜層（３１）によりパッケージされてなる折り畳みパック本体（１）と、
展開した折り畳みパック本体の内側面の長手方向に配置された少なくとも１つの薄膜太陽電池を備え、隣接する２つの前記薄膜太陽電池の間に隙間があり折り目線を構成する薄膜太陽電池モジュールと、
薄膜太陽電池モジュールにより変換された電力を出力する電力出力装置（４）と、
薄膜太陽電池間の接続及び薄膜太陽電池モジュールと前記電力出力装置（４）との接続に用いられる導線（５）と、を備え、
前記薄膜太陽電池モジュールに第２フレキシブル保護膜層（３２）がパッケージされ、前記第２フレキシブル保護膜層は上から順に上面層（３２１）、接着層（３２２）を備え、展開した折り畳みパック本体の内側面の、薄膜太陽電池モジュールの占有面積以外の残り面積に第３フレキシブル保護膜層がパッケージされ、前記第３フレキシブル保護膜層は上から順に上面層、接着層、下面層を備える折り畳み式ソーラーバッテリーパック。
【請求項２】
前記第１フレキシブル保護膜層（３１）は上から順に接着層（３１１）、下面層（３１２）を備える請求項１に記載の折り畳み式ソーラーバッテリーパック。
【請求項３】
前記上面層はＥＴＦＥ層であり、前記下面層は防水布であり、前記接着層はＥＶＡ層である請求項２に記載の折り畳み式ソーラーバッテリーパック。
【請求項４】
前記上面層の厚さ範囲は０．０１−０．２ｍｍである請求項１−３のいずれか一項に記載の折り畳み式ソーラーバッテリーパック。
【請求項５】
前記接着層の厚さ範囲は０．２−０．３ｍｍである請求項１−３のいずれか一項に記載の折り畳み式ソーラーバッテリーパック。
【請求項６】
前記下面層の厚さ範囲は０．１−０．２ｍｍである請求項１−３のいずれか一項に記載の折り畳み式ソーラーバッテリーパック。
【請求項７】
前記電力出力装置（４）は接続ボックスを備え、前記接続ボックス内に集積回路基板が設けられ、薄膜太陽電池モジュールにより変換された電力を制御し、負荷の使用要求を満たす電圧を出力するように設定され、前記接続ボックスに、負荷に接続される少なくとも１つのＵＳＢインタフェースが設けられる請求項１に記載の折り畳み式ソーラーバッテリーパック。
【請求項８】
前記集積回路基板に、光強度を表示する少なくとも１つの表示ランプが設けられる請求項７に記載の折り畳み式ソーラーバッテリーパック。
【請求項９】
前記導線（５）は前記第１フレキシブル保護膜層（３１）と第３フレキシブル保護膜層との間に位置し、前記第１フレキシブル保護膜層の接着層（３１１）と下面層（３１２）を貫通して前記電力出力装置（４）に接続される請求項２に記載の折り畳み式ソーラーバッテリーパック。
【請求項１０】
前記薄膜太陽電池モジュールは、展開した折り畳みパック本体の内側面の長手方向に等間隔に水平に配置された３つの薄膜太陽電池を備え、前記３つの薄膜太陽電池の間に第１折り目線（１２）と第２折り目線（１３）が構成される請求項１に記載の折り畳み式ソーラーバッテリーパック。
【請求項１１】
前記折り畳みパック本体（１）に設けられ、前記折り畳み式ソーラーバッテリーパックを折り畳んで固定するための少なくとも１つのスナップフィット構造（１４）をさらに備える請求項１に記載の折り畳み式ソーラーバッテリーパック。
【請求項１２】
前記折り畳みパック本体に設けられる掛けて接続する用の少なくとも１つの貫通孔（１１）をさらに備える請求項１に記載の折り畳み式ソーラーバッテリーパック。
【請求項１３】
展開後の折り畳みパック本体の裏面に設けられた少なくとも１つの収納ポケットをさらに備える請求項１−３のいずれか一項に記載の折り畳み式ソーラーバッテリーパック。
【請求項１４】
前記少なくとも１つの収納ポケットは、着脱可能接続構造によって展開後の折り畳みパック本体の裏面に接続される請求項１３に記載の折り畳み式ソーラーバッテリーパック。
【請求項１５】
第１フレキシブル保護膜層（３１）からなる折り畳みパック本体（１）と、
折り畳みパック本体の内部に隙間があり折り目線を構成する展開した前記折り畳みパック本体の内側面の長手方向に設けられる１つ又は複数の薄膜太陽電池モジュール（２）と、
薄膜太陽電池モジュールにより変換された電力を出力する電力出力装置（４）と、
前記１つ又は複数の薄膜太陽電池モジュールと前記電力出力装置とを接続する導線（５）と、
少なくとも前記薄膜太陽電池モジュールの上面を被覆し、前記第１フレキシブル保護膜層に固定される透明フレキシブル保護膜層（３２）と、を備える折り畳み式ソーラーバッテリーパック。
【請求項１６】
前記薄膜太陽電池モジュールの上面を露出させるように中部にウィンドウが設けられるウィンドウ付きフレキシブル保護膜層（３）をさらに備え、
前記ウィンドウ付きフレキシブル保護膜層の非ウィンドウ部分は前記第１フレキシブル保護膜層に固定され、前記透明フレキシブル保護膜層は前記薄膜太陽電池モジュールの上面を被覆し、前記ウィンドウ付きフレキシブル保護膜層に固定され、又は、
前記ウィンドウ付きフレキシブル保護膜層は、前記透明フレキシブル保護膜層の前記薄膜太陽電池モジュールの上面の大きさを超える部分を、前記ウィンドウ付きフレキシブル保護膜層と前記第１フレキシブル保護膜層との間に固定する請求項１５に記載の折り畳み式ソーラーバッテリーパック。
【請求項１７】
前記第１フレキシブル保護膜層は上から順に接着層（３１１）、下面層（３１２）を備え、前記透明フレキシブル保護膜層は上から順に上面層（３２１）、接着層（３２２）を備え、前記透明フレキシブル保護膜層は、前記接着層（３２２）又は前記接着層（３１１）によって、前記第１フレキシブル保護膜層の下面層（３１２）に固定される請求項１５に記載の折り畳み式ソーラーバッテリーパック。
【請求項１８】
前記第１フレキシブル保護膜層（３１）は上から順に接着層（３１１）、下面層（３１２）を備え、前記透明フレキシブル保護膜層（３２）は上から順に上面層（３２１）、接着層（３２２）を備え、
前記ウィンドウ付きフレキシブル保護膜層は、前記第１フレキシブル保護膜層の接着層（３１１）によって、前記第１フレキシブル保護膜層（３１）の下面層（３１２）に固定され、前記透明フレキシブル保護膜層（３２）は、前記接着層（３２２）によって、前記薄膜太陽電池モジュールと前記ウィンドウ付きフレキシブル保護膜層に固定され、
又は、前記透明フレキシブル保護膜層（３２）は、前記接着層（３２２）によって前記薄膜太陽電池モジュールと第１フレキシブル保護膜層の下面層（３１２）に固定され、前記透明フレキシブル保護膜層（３２）の前記薄膜太陽電池モジュールの上面の大きさを超える部分は、前記ウィンドウ付きフレキシブル保護膜層と前記第１フレキシブル保護膜層との間に固定される請求項１６に記載の折り畳み式ソーラーバッテリーパック。
【請求項１９】
前記透明フレキシブル保護膜層の上面層はＥＴＦＥ層又はＥＣＴＦＥであり、前記第１フレキシブル保護膜層の下面層とウィンドウ付きフレキシブル保護膜層は防水布であり、前記第１フレキシブル保護膜層の接着層と前記透明フレキシブル保護膜層の接着層はＥＶＡ層であり、前記第２フレキシブル保護膜層の上面層は多点凹面層である請求項１７又は１８に記載の折り畳み式ソーラーバッテリーパック。
【請求項２０】
前記透明フレキシブル保護膜層の上面層の厚さ範囲は０．０１−０．２ｍｍであり、前記透明フレキシブル保護膜層の接着層の厚さ範囲は０．２−０．３ｍｍであり、前記第１フレキシブル保護膜層の接着層の厚さ範囲は０．２−０．３ｍｍであり、前記第１フレキシブル保護膜層の下面層の厚さ範囲は０．１−０．２ｍｍであり、前記ウィンドウ付きフレキシブル保護膜層の厚さ範囲は０．１−０．２ｍｍである請求項１７又は１８に記載の折り畳み式ソーラーバッテリーパック。
【手続補正２】
【補正対象書類名】明細書
【補正対象項目名】００３６
【補正方法】変更
【補正の内容】
【００３６】
前記折り畳みパック本体１は展開して矩形又は長方形を呈するが、ほかの適切な形状としてもよく、折り畳み可能な第１フレキシブル保護膜層３１によりパッケージされてなり、前記薄膜太陽電池モジュール自体はフレキシブルであり、且つ薄膜太陽電池は太陽光から電力への変換効率が高く、軽量であり、本願の実施例では、前記薄膜太陽電池モジュールは、展開した折り畳みパック本体の内側面の長手方向に配置される少なくとも１つの薄膜太陽電池モジュールを備え、一例において、薄膜太陽電池はＣＩＧＳ薄膜太陽電池であり、隣接する２つの前記薄膜太陽電池の間に隙間があり折り目線を構成する。本実施形態では、前記薄膜太陽電池モジュールは、展開した折り畳みパック本体１の内側面の長手方向に等間隔に水平に配置された３つのＣＩＧＳ薄膜太陽電池モジュール２を備え、３つのＣＩＧＳ薄膜太陽電池モジュールは導線５によってカスケード接続され、前記３つのＣＩＧＳ薄膜太陽電池モジュール２の間に第１折り目線１２と第２折り目線１３が構成される。ユーザーがそのモバイル装置、たとえば携帯電話、タブレットＰＣ等を充電する必要がある時、折り畳み式ソーラーバッテリーパックを第１折り目線１２と第２折り目線１３に沿って展開して、展開後の折り畳みパック本体に配置された３つのＣＩＧＳ薄膜太陽電池モジュール２は太陽光を十分に受けて電力に変換でき、次に導線５と電力出力装置４によって電力をモバイル装置に出力し、ユーザーがそのモバイル装置を充電する必要がない時、第１折り目線１２と第２折り目線１３に沿ってバッテリパックを小体積に折り畳み、小体積に折り畳まれたパックが持ち運びやすい。なお、本願の実施例では、薄膜太陽電池の数について、特に制限されず、ユーザーは実際のニーズに応じてＣＩＧＳ薄膜太陽電池モジュールの数を適宜調整でき、たとえば４つ、５つ又は６つ等とし、分かりやすいのは、実際の必要に応じて、ＣＩＧＳ薄膜太陽電池モジュールの数は１つ又は２つであってもよい。複数のＣＩＧＳ薄膜太陽電池モジュールは必要に応じて導線によって直列接続又は並列接続できる。各ＣＩＧＳ薄膜太陽電池モジュールは１つ又は複数のＣＩＧＳ薄膜太陽電池を備える。前記ＣＩＧＳ薄膜太陽電池は上から順に阻水膜２０１、接着層２０２、ＣＩＧＳ薄膜太陽電池チップ２０３、接着層２０４、阻水膜２０５を備え、ＣＩＧＳ薄膜太陽電池チップ２０３は可撓性が高く、折り畳み、折り曲げが可能であり、折り畳み又は折り曲げても損傷することがない。
【手続補正３】
【補正対象書類名】明細書
【補正対象項目名】００４１
【補正方法】変更
【補正の内容】
【００４１】
使用の便宜上、本実施形態の前記集積回路基板に、光強度を表示する少なくとも１つの表示ランプがさらに設けられ、一例において、前記表示ランプはＬＥＤ表示ランプである。本実施形態では、前記ＬＥＤ表示ランプは、照明条件が悪い時、赤色を表示し、照明条件が良く、直接に負荷を充電できる時、緑色を表示し、ソーラーチャージャーがオフで又は負荷に供する電力がない時、点灯せず、出力無しを示す。なお、本願の実施例では表示ランプの表示モードは上記方式に限定されず、表示ランプの表示モードと表示効果はユーザーの実際ニーズに応じて調整できる。
【手続補正４】
【補正対象書類名】明細書
【補正対象項目名】００４２
【補正方法】変更
【補正の内容】
【００４２】
本実施形態では、前記導線５は前記第３フレキシブル保護膜層と第１フレキシブル保護膜層３１との間に位置し、前記接着層３１１と第１フレキシブル保護膜層３１の下面層３１２を貫通して前記接続ボックス４に接続される。選択的に、前記導線５は錫メッキ編組銅線である。
【手続補正５】
【補正対象書類名】明細書
【補正対象項目名】００４３
【補正方法】変更
【補正の内容】
【００４３】
本願の別の実施形態として、図５又は６に示すように、前記折り畳みパック本体１は折り畳み、折り曲げ可能な第１フレキシブル保護膜層３１によりパッケージされてなり、前記第１フレキシブル保護膜層３１は上から順に接着層３１１、下面層３１２を備える。前記接着層３１１はホットメルト接着剤層、たとえばＥＶＡ層であり、前記下面層３１２は不透明なフレキシブル防水材料、たとえば防水布であってもよく、透明、防水、防傷、耐摩擦性、耐候性が高い材料、たとえばＥＴＦＥ層、又はＥＣＴＦＥ又は該特性要件を満たすほかの材料であってもよい。
【手続補正６】
【補正対象書類名】明細書
【補正対象項目名】００４７
【補正方法】変更
【補正の内容】
【００４７】
本願の実施例では、展開した折り畳みパック本体の内側面の長手方向に１つ又は複数の薄膜太陽電池モジュールが水平に設けられ、前記第１フレキシブル保護膜３１の接着層３１１によって、展開した第１フレキシブル保護膜３１に固定される。隣接する２つの前記薄膜太陽電池モジュールの間に隙間があり折り目線を構成する。一例示的な実施形態として、展開した折り畳みパック本体１の内側面の長手方向に３つのＣＩＧＳ薄膜太陽電池モジュール２が等間隔に水平に配置され、３つのＣＩＧＳ薄膜太陽電池モジュールは導線５によって直列接続され、前記３つのＣＩＧＳ薄膜太陽電池モジュールの間に第１折り目線１２と第２折り目線１３が構成される。ユーザーがそのモバイル装置、たとえば携帯電話、タブレットＰＣ等を充電する必要がある時、折り畳み式ソーラーバッテリーパックを第１折り目線１２と第２折り目線１３に沿って展開し、展開後の折り畳みパック本体に配置された３つのＣＩＧＳ薄膜太陽電池モジュールは太陽光を十分に受けて電力に変換でき、次に導線５と電力出力装置４によって電力をモバイル装置に出力し、ユーザーがそのモバイル装置を充電する必要がない時、第１折り目線１２と第２折り目線１３に沿ってバッテリパックを小体積に折り畳み、小体積に折り畳まれたパックが持ち運びやすい。
【手続補正７】
【補正対象書類名】明細書
【補正対象項目名】００５０
【補正方法】変更
【補正の内容】
【００５０】
前記薄膜太陽電池モジュール２と前記ウィンドウ付きフレキシブル保護膜層３の上に、第２フレキシブル保護膜層３２がさらに設けられ、該第２フレキシブル保護膜層は透明フレキシブル保護膜層であり、上から順に上面層３２１、接着層３２２を備え、一例において、前記上面層３２１は透明、防水、防傷、耐摩擦性、耐候性が高い材料、たとえばＥＴＦＥ層であり、ＥＣＴＦＥ又は透明、防水、防傷、耐摩擦性、耐候性が高いほかの材料を用いてもよく、一例において、前記接着層３２２はホットメルト接着剤層、たとえばＥＶＡ層である。前記第２フレキシブル保護層は多点凹面構造とすることで、太陽光の反射を減少させ、太陽光から電力への変換効率を向上させる。
【手続補正８】
【補正対象書類名】明細書
【補正対象項目名】００５６
【補正方法】変更
【補正の内容】
【００５６】
選択的に、前記導線５は錫メッキ編組銅線である。
【手続補正９】
【補正対象書類名】明細書
【補正対象項目名】００５８
【補正方法】変更
【補正の内容】
【００５８】
また、本実施形態に係る携帯型折り畳み式ソーラーバッテリーパックは、前記折り畳みパック本体に設けられ、前記折り畳みパックを折り畳んだ後に固定するための少なくとも１つのスナップフィット構造をさらに備え、一例において、前記スナップフィット構造はスナップ１４であるが、スナップ１４に限定されず、面ファスナー構造、たとえばナイロン面ファスナー、又は磁気ボタンであってもよい。スナップフィット構造が設けられることで、折り畳みパックを折り畳み後に展開することなく、ユーザーが持ち運びやすい。
【手続補正書】
【提出日】平成31年2月1日(2019.2.1)
【手続補正１】
【補正対象書類名】実用新案登録請求の範囲
【補正対象項目名】全文
【補正方法】変更
【補正の内容】
【実用新案登録請求の範囲】
【請求項１】
展開して矩形を呈して、第１フレキシブル保護膜層（３１）によりパッケージされてなる折り畳みパック本体（１）と、
展開した折り畳みパック本体の内側面の長手方向に配置された少なくとも１つの薄膜太陽電池を備え、隣接する２つの前記薄膜太陽電池の間に隙間があり折り目線を構成する薄膜太陽電池モジュールと、
薄膜太陽電池モジュールにより変換された電力を出力する電力出力装置（４）と、
薄膜太陽電池間の接続及び薄膜太陽電池モジュールと前記電力出力装置（４）との接続に用いられる導線（５）と、を備え、
前記薄膜太陽電池モジュールに第２フレキシブル保護膜層（３２）がパッケージされ、前記第２フレキシブル保護膜層は上から順に上面層（３２１）、接着層（３２２）を備え、展開した折り畳みパック本体の内側面の、薄膜太陽電池モジュールの占有面積以外の残り面積に第３フレキシブル保護膜層がパッケージされ、前記第３フレキシブル保護膜層は上から順に上面層、接着層、下面層を備える折り畳み式ソーラーバッテリーパック。
【請求項２】
前記第１フレキシブル保護膜層（３１）は上から順に接着層（３１１）、下面層（３１２）を備える請求項１に記載の折り畳み式ソーラーバッテリーパック。
【請求項３】
前記上面層はＥＴＦＥ層であり、前記下面層は防水布であり、前記接着層はＥＶＡ層である請求項２に記載の折り畳み式ソーラーバッテリーパック。
【請求項４】
前記上面層の厚さ範囲は０．０１−０．２ｍｍである請求項１−３のいずれか一項に記載の折り畳み式ソーラーバッテリーパック。
【請求項５】
前記接着層の厚さ範囲は０．２−０．３ｍｍである請求項１−３のいずれか一項に記載の折り畳み式ソーラーバッテリーパック。
【請求項６】
前記下面層の厚さ範囲は０．１−０．２ｍｍである請求項１−３のいずれか一項に記載の折り畳み式ソーラーバッテリーパック。
【請求項７】
前記電力出力装置（４）は接続ボックスを備え、前記接続ボックス内に集積回路基板が設けられ、薄膜太陽電池モジュールにより変換された電力を制御し、負荷の使用要求を満たす電圧を出力するように設定され、前記接続ボックスに、負荷に接続される少なくとも１つのＵＳＢインタフェースが設けられる請求項１に記載の折り畳み式ソーラーバッテリーパック。
【請求項８】
前記集積回路基板に、光強度を表示する少なくとも１つの表示ランプが設けられる請求項７に記載の折り畳み式ソーラーバッテリーパック。
【請求項９】
前記導線（５）は前記第１フレキシブル保護膜層（３１）と第３フレキシブル保護膜層との間に位置し、前記第１フレキシブル保護膜層の接着層（３１１）と下面層（３１２）を貫通して前記電力出力装置（４）に接続される請求項２に記載の折り畳み式ソーラーバッテリーパック。
【請求項１０】
前記薄膜太陽電池モジュールは、展開した折り畳みパック本体の内側面の長手方向に等間隔に水平に配置された３つの薄膜太陽電池を備え、前記３つの薄膜太陽電池の間に第１折り目線（１２）と第２折り目線（１３）が構成される請求項１に記載の折り畳み式ソーラーバッテリーパック。
【請求項１１】
前記折り畳みパック本体（１）に設けられ、前記折り畳み式ソーラーバッテリーパックを折り畳んで固定するための少なくとも１つのスナップフィット構造（１４）をさらに備える請求項１に記載の折り畳み式ソーラーバッテリーパック。
【請求項１２】
前記折り畳みパック本体に設けられる掛けて接続する用の少なくとも１つの貫通孔（１１）をさらに備える請求項１に記載の折り畳み式ソーラーバッテリーパック。
【請求項１３】
展開後の折り畳みパック本体の裏面に設けられた少なくとも１つの収納ポケットをさらに備える請求項１−３のいずれか一項に記載の折り畳み式ソーラーバッテリーパック。
【請求項１４】
前記少なくとも１つの収納ポケットは、着脱可能接続構造によって展開後の折り畳みパック本体の裏面に接続される請求項１３に記載の折り畳み式ソーラーバッテリーパック。
【請求項１５】
第１フレキシブル保護膜層（３１）からなる折り畳みパック本体（１）と、
折り畳みパック本体の内部に隙間があり折り目線を構成する展開した前記折り畳みパック本体の内側面の長手方向に設けられる１つ又は複数の薄膜太陽電池モジュール（２）と、
薄膜太陽電池モジュールにより変換された電力を出力する電力出力装置（４）と、
前記１つ又は複数の薄膜太陽電池モジュールと前記電力出力装置とを接続する導線（５）と、
少なくとも前記薄膜太陽電池モジュールの上面を被覆し、前記第１フレキシブル保護膜層に固定される透明フレキシブル保護膜層（３２）と、を備える折り畳み式ソーラーバッテリーパック。
【請求項１６】
前記薄膜太陽電池モジュールの上面を露出させるように中部にウィンドウが設けられるウィンドウ付きフレキシブル保護膜層（３）をさらに備え、
前記ウィンドウ付きフレキシブル保護膜層の非ウィンドウ部分は前記第１フレキシブル保護膜層に固定され、前記透明フレキシブル保護膜層は前記薄膜太陽電池モジュールの上面を被覆し、前記ウィンドウ付きフレキシブル保護膜層に固定され、又は、
前記ウィンドウ付きフレキシブル保護膜層は、前記透明フレキシブル保護膜層の前記薄膜太陽電池モジュールの上面の大きさを超える部分を、前記ウィンドウ付きフレキシブル保護膜層と前記第１フレキシブル保護膜層との間に固定する請求項１５に記載の折り畳み式ソーラーバッテリーパック。
【請求項１７】
前記第１フレキシブル保護膜層は上から順に接着層（３１１）、下面層（３１２）を備え、前記透明フレキシブル保護膜層は上から順に上面層（３２１）、接着層（３２２）を備え、前記透明フレキシブル保護膜層は、前記接着層（３２２）又は前記接着層（３１１）によって、前記第１フレキシブル保護膜層の下面層（３１２）に固定される請求項１５に記載の折り畳み式ソーラーバッテリーパック。
【請求項１８】
前記第１フレキシブル保護膜層（３１）は上から順に接着層（３１１）、下面層（３１２）を備え、前記透明フレキシブル保護膜層（３２）は上から順に上面層（３２１）、接着層（３２２）を備え、
前記ウィンドウ付きフレキシブル保護膜層は、前記第１フレキシブル保護膜層の接着層（３１１）によって、前記第１フレキシブル保護膜層（３１）の下面層（３１２）に固定され、前記透明フレキシブル保護膜層（３２）は、前記接着層（３２２）によって、前記薄膜太陽電池モジュールと前記ウィンドウ付きフレキシブル保護膜層に固定され、
又は、前記透明フレキシブル保護膜層（３２）は、前記接着層（３２２）によって前記薄膜太陽電池モジュールと第１フレキシブル保護膜層の下面層（３１２）に固定され、前記透明フレキシブル保護膜層（３２）の前記薄膜太陽電池モジュールの上面の大きさを超える部分は、前記ウィンドウ付きフレキシブル保護膜層と前記第１フレキシブル保護膜層との間に固定される請求項１６に記載の折り畳み式ソーラーバッテリーパック。
【請求項１９】
前記透明フレキシブル保護膜層の上面層はＥＴＦＥ層又はＥＣＴＦＥであり、前記第１フレキシブル保護膜層の下面層とウィンドウ付きフレキシブル保護膜層は防水布であり、前記第１フレキシブル保護膜層の接着層と前記透明フレキシブル保護膜層の接着層はＥＶＡ層である請求項１７又は１８に記載の折り畳み式ソーラーバッテリーパック。
【請求項２０】
前記透明フレキシブル保護膜層の上面層の厚さ範囲は０．０１−０．２ｍｍであり、前記透明フレキシブル保護膜層の接着層の厚さ範囲は０．２−０．３ｍｍであり、前記第１フレキシブル保護膜層の接着層の厚さ範囲は０．２−０．３ｍｍであり、前記第１フレキシブル保護膜層の下面層の厚さ範囲は０．１−０．２ｍｍであり、前記ウィンドウ付きフレキシブル保護膜層の厚さ範囲は０．１−０．２ｍｍである請求項１６又は１８に記載の折り畳み式ソーラーバッテリーパック。